(57)【要約】【課題】破損した室内壁の修理時や、部屋の模様替え時等に、子どもや女性でも容易に利用できる壁板材のそり防止を行なう。【解決手段】  壁板材（１）の表面（２）又は裏面（３）に１本又は複数本の切れ目（４）を入れることにより、温度や湿度の変化による応力を切れ目（４）の薄くなった部分にて吸収し、壁板材（１）のそり防止を行なう。【選択図】図１
2005076441.tif 000002
【特許請求の範囲】
【請求項１】
壁板材（１）の表面（２）又は裏面（３）に１本又は複数本の切れ目（４）を入れたことを特徴とする壁板材。
【請求項２】
壁板材（１）の表面（２）及び裏面（３）に１本又は複数本の切れ目（４）を入れたことを特徴とする壁板材
【請求項３】
切れ目（４）を縦横に入れたことを特徴とする請求項１及び請求項２記載の壁板材。
【請求項４】
裏面（３）に１又は複数の両面粘着テープ（５）等による固着手段を有することを特徴とする請求項１から請求項３記載の壁板材。
【発明の詳細な説明】
【技術分野】
【０００１】  本発明は、破損した室内壁の修理時や、部屋の模様替え時等に、子どもや女性でも容易に利用できる壁板材のそり防止に関するものである。
【背景技術】
【０００２】  従来の室内用の壁板材には、所要幅、所要厚、所要材質の壁板材の一面に接着手段としての両面粘着テープの一面を貼着し、他面に（表面）に同幅の剥離紙を貼着したもの（特許文献１参照）や、壁板材の裏面もしくは下地材のいずれか一方に両面粘着テープを部分的に貼付し、且つ、上記両面粘着テープよりも厚い厚みを有する発泡体シートを両面粘着テープが貼付されていない所に部分的に配置したもの（特許文献２参照）等がある。
【特許文献１】特許公開平９−２７３２８７
【特許文献２】特許公開２０００−２２６５５７
【発明の開示】
【発明が解決しようとする課題】
【０００３】  従来の壁板材で、所要幅、所要厚、所要材質の壁板材の一面に固着手段としての両面粘着テープの一面を貼着し、他面に（表面）に同幅の剥離紙を貼着したものでは、両面粘着テープの使用量が少なかったり、両面粘着テープを貼る位置や量が適当でない場合は、施工後の時間の経過と共に、温度や湿度の変化の影響により、壁板材そのものが反ったり、波打ったりするといった課題を有する。【０００４】  また、壁板材の裏面もしくは下地材のいずれか一方に両面粘着テープを部分的に貼付し、且つ、上記両面粘着テープよりも厚い厚みを有する発泡体シートを両面粘着テープが貼付されていない所に部分的に配置したものでも、前期の従来例と同様に、温度や湿度の変化による影響により、壁板材そのものが反ったり、波打ったりするといった課題を解決することはできない。【０００５】  前期２つの従来例では、両面粘着テープにより壁板材を貼り付けるのみであり、壁板材そのものが反ったり、波打ったりした場合には、両面粘着テープの粘着力のみにより矯正するもので、粘着力の限界を超えた場合には、壁板材が剥がれてしまうといった課題を有する。【０００６】  そこで本発明の目的は、施工した後に時間が経過して、温度や湿度が変化しても、壁板材が反ったり、波打ったりしてはがれることがなく、構造が簡単で安価な壁板材であるとともに、貼り付けるときの位置決めが容易で、女性や子どもでも容易に部屋の模様や環境を変える（リフォーム）ことができる壁板材を提供することにある。
【発明の効果】
【０００８】  本発明の壁板材を用いれば、壁板材を貼った後で時間が経過して、温度や湿度が変化して壁板材が波打ったり、反ったりする応力を壁板材にて吸収することができるので、壁板材がはがれることがなく、構造が簡単で安価な壁板材を提供することができ、貼り付けるときの位置決めが容易で、女性や子どもでも容易に部屋の模様や環境を変えることができる壁板材を提供することができるといった効果を有する。【０００９】  また、材質が白木なので、新建材に見られるようなホルムアルデヒド等の有害物質の発生を防いで、シックハウス症候群等の対策が可能であり、大きさも幅が５ｃｍ〜１０ｃｍ程度、長さも３０ｃｍ〜６０ｃｍ程度であるので、普通なら捨てられてしまう間伐材を使用することができ、環境破壊にも貢献できるといった効果を有する。
【発明を実施するための最良の形態】
【００１０】  壁板材が反ったり、波打ったりして剥がれることがないという目的を、壁板材の表面又は裏面に１本又は複数本の切れ目を入れることにより実現した。
【実施例１】
【００１１】  図１は、壁板材の裏面に切れ目を入れた斜視図であり、本実施例では壁板材の縦方向に２本の切れ目を入れて壁板材の反りによる応力を吸収する例である。【００１２】  壁板材（１）の裏面（３）には、壁板材（１）の厚みの概ね１／３から１／２程度の２本の切れ目（４）を入れ、切れ目（４）の部分の壁板材（１）の厚みが薄いので、壁板材（１）が温度、湿度の影響で伸び縮みする場合の応力を吸収して、壁板材（１）が反ったり、波打ったりすることを防止するのである。表面の縁には面取り（６）をすることにより、施工時に壁板材（１）の縁で手を切ることがなく、施工後の仕上がりも美しいのである。【００１３】  壁板材（１）の材料は、間伐材を製材して得られる幅が５ｃｍ〜１０ｃｍ程度、長さが３０ｃｍ〜６０ｃｍ程度で厚さも３ｍｍ〜１０ｍｍ程度の白木材が好ましい。間伐材から製材される白木材を利用することで、新建材に見られるようなホルムアルデヒド等の有害物質の発生を防いで、シックハウス症候群等の対策が可能であり、多くの貴重な木材資源を有効に利用することができるので、環境破壊にも貢献できるのである。
【実施例２】
【００１４】  図２は、表面と裏面に切れ目を入れた斜視図であり、壁板材の表面には１本、裏面には２本、縦方向に切れ目を入れて壁板材の反りによる応力を吸収する例である。【００１５】  壁板材（１）の裏面（３）には、実施例１と同様に、切れ目（４）が２本入っており、表面（２）には、裏面（３）の切れ目（４）と相対的に異なる位置に、切れ目（４）を１本入れ、壁板材（１）が伸び縮みする場合の応力を吸収して、壁板材（１）が反ったり、波打ったりすることを防止すると共に、表面（２）の切れ目（４）は壁板材（１）の模様としても効果を発揮するのである。
【実施例３】
【００１６】  図３は、裏面には縦方向に、表面は横方向に切れ目を入れた斜視図であり、裏面、表面ともに２本の切れ目を入れて壁板材の反りによる応力を吸収する例である。【００１７】  壁板材（１）の裏面（３）には実施例１と同様に、切れ目（４）が２本、縦方向に入っており、表面（２）には、切れ目（４）２本が横方向に入っている。このように、縦横に切れ目（４）を入れることにより、壁板材（１）の縦方向の応力と横方向の応力を吸収することができると共に、表面（３）の横方向に入れた切れ目（４）は模様としての効果があり、壁板材（１）を並べて施工する際の、位置合わせの目印とすることもできるのである。【００１８】  図１から図３の例では、切り込み（４）は壁板材（１）に対して縦横に入れているが、この切り込み（４）を斜めに入れても応力に対する効果は同じであり、美しい模様を表現することができるのである。
【実施例３】
【００１９】  図４は、固着手段を有する斜視図であり、壁板材の裏面に２個の両面粘着テープを固着した例である。図５は施工例を示す図である。【００２０】  壁板材（１）の裏面（３）に、固着手段としての両面粘着テープ（５）を２ヶ所に貼着してある。これを使用する時は、両面粘着テープ（５）のはくり紙を剥がして、貼ろうとする位置に押し付けるだけで良いので、施工が簡単であり、女性や子どもでも容易に部屋の環境を変える（リフォーム）ことができるのである。【００２１】  図５は、階段の壁に壁板材を斜めに施工した例である。壁板材（１）の表面（２）の切り込み（４）の位置を利用して、位置合わせを行ないながら、階段の斜面と平行に壁板材（１）を並べて施工することにより、通常の壁板とは異なる雰囲気を出すことができると共に、壁板の補修やリフォームが容易にできるのである。
【産業上の利用可能性】
【００２２】  温度や湿度により伸び縮みするものに応用でき、伸び縮みすることによって変形しては困るものに適用できる。
【図面の簡単な説明】
【００２３】
【図１】壁板材の裏面に切れ目を入れた斜視図。
【図２】表面と裏面に切れ目を入れた斜視図。
【図３】裏面は縦方向に、表面は横方向に切れ目を入れた斜視図。
【図４】固着手段を有する斜視図。
【図５】施工例を示す図。
【符号の説明】
【００２４】  １    壁板材
２    表面
３    裏面
４    切れ目
５    両面テープ
６    面取り
【図１】
2005076441.tif 000003
【図２】
2005076441.tif 000004
【図３】
2005076441.tif 000005
【図４】
2005076441.tif 000006
【図５】
2005076441.tif 000007